(57)【特許請求の範囲】
【請求項１】
一端において締め具に枢動式に装着されるリング部を含み、リング形状を有する宝石製品であって、前記締め具が、前記リング部の一端からリングの継続部に及んでおり、前記リングの前記継続部内に延在し枢動式の接続部において前記リング部の一端に枢動式に装着されたリング継続アームを備え、前記締め具がさらに、前記リング継続アームと共に前記リングの継続部に沿って延在する付勢アームを備え、前記付勢アームが枢動式に互いに装着されたばね部とレバー部とを備え、前記レバー部と前記リング部の接続部が剛性であるため、前記リング部が開放される際、前記レバー部が前記宝石製品の内側に向かって前記リングの内向きに回転し、前記ばね部の枢動される端部を引っ張るように構成されることで、安定した開放位置を確立することを可能にし、前記締め具上にあるレバーが、前記ばね部を前記リング継続アームに向けて外向きに押すことで閉鎖された安定位置を確立することで前記締め具を閉鎖するするものであり、
前記ばね部の開放された位置における直径が、閉鎖された位置における直径よりも小さく、また前記ばね部が前記リング継続アームと接続されている板ばねからなる、宝石製品。
【請求項２】
前記レバー部が前記ばね部より短い、請求項１に記載の宝石製品。
【請求項３】
前記宝石製品がイヤリングであり、前記イヤリングが、耳に挿入するためのピンを備え、前記締め具が前記ピンを前記リング部に対して閉鎖するためのものであり、前記締め具の第１の端部は前記リング部上にあり、第２の端部は自由端であり、前記閉鎖された安定位置は前記締め具が前記ピンに当接することで前記イヤリングを閉じる位置であり、前記安定した開放位置は前記締め具が前記ピンから離間されることで前記イヤリングを開放する位置である、請求項１に記載の宝石製品。
【請求項４】
前記宝石製品がリングまたはブレスレットであり、前記リングがバンドを備え、前記締め具が前記バンドに組み込まれており、前記閉鎖された安定位置は、前記締め具が前記バンドを均一なリングの円周に対して閉鎖する位置であり、前記安定した開放位置は、前記バンドが前記円周を超えて開放される位置である、請求項１に記載の宝石製品。
【請求項５】
前記ばね部が、前記締め具が開放される際、前記リング部の継続部の外周の内側に延在する、請求項１に記載の宝石製品。
【請求項６】
前記ばね部が、前記締め具が開放される際、前記外周の中に留まる、請求項５に記載の宝石製品。
【請求項７】
前記ばね部が前記レバー部の長さの４倍である、請求項２に記載の宝石製品。
【請求項８】
前記付勢アームが前記宝石製品のリング形状と連続している、請求項７に記載の宝石製品。
【請求項９】
ハギー様式のイヤリングである、請求項２に記載の宝石製品。
【請求項１０】
ピンと締め具とを備えるイヤリング用の留め具であって、前記締め具が、一端において枢動式に装着されたリング部を備え、前記締め具が前記リング部の一端から前記リング部の継続部に及んでおり、リング形状の継続部内に延在し枢動式の接続部において前記リング部の一端に枢動式に装着されたリング継続アームを備え、前記締め具がさらに、前記リング継続アームと共に前記リングの継続部に沿って延在する付勢アームを備え、前記付勢アームが、枢動式に互いに装着されたばね部と、レバー部とを備え、前記レバー部と前記リング部の接続部が剛性であるため、前記リング部が開放される際、前記レバー部が前記イヤリングの内側に向かって前記リング形状の内向きに回転し、前記ばね部の枢動される端部を引っ張るように構成されることで安定した開放位置を確立することを可能にし、前記締め具上にある前記レバーが、前記ばね部を前記リング継続アームに向けて外向きに押すことで閉鎖された安定位置を確立することで前記締め具を閉鎖するするものであり、
前記ばね部の開放された位置における直径が、閉鎖された位置における直径よりも小さく、また前記ばね部が前記リング継続アームと接続されている板ばねからなる、イヤリング用の留め具。
【請求項１１】
請求項１０に記載のイヤリング用の留め具を形成するために組み立て可能な部品のキット。
【請求項１２】
請求項１１の部品の前記キットから組み立てられたイヤリングおよび台座。
【発明の詳細な説明】
【技術分野】
【０００１】
本発明は、その一部の実施形態において、締め具および留め具に関し、より詳細には、但し排他的にではなく、とりわけリング、ブレスレットおよびハギーイヤリングを含めたイヤリングなどの宝石などの製品用の締め具および留め具、ならびに台座と組み合わせた締め具と留め具を含む宝石製品に関する。
【背景技術】
【０００２】
締め具を備えたリングは、指のサイズが一生の過程にわたって変化する場合に有益であり、これは珍しい現象ではない。サイズの変化と同様に、関節炎にかかった関節によって、ぴったりと嵌まっているリングやブレスレットを滑らかに動かすのに痛みを伴う場合もある。
【０００３】
ハギーイヤリングは、一般的な様式のイヤリングであり、設置具が耳たぶを抱え込むことからそう呼ばれている。多くの受注製作の宝石職人は、ハギーイヤリングを作製するが、これは多くの種類の設置具を使用することができることがその理由である。例えばハギーイヤリングの中に溝を付けて石をセットすることができる。ハギーイヤリング用の設置具は、ハート型、矩形、リング状および馬蹄形を含めた様々な形状およびサイズで提供されうる。
【０００４】
ハギーイヤリングは一般に、挿入するためにピンが露出される、またはピアス穴から引き抜かれる開放位置と、いったん挿入された後、イヤリングを所定の位置に保持する閉鎖位置とを提供する締め具機構を有する。
【０００５】
図１Ａは、外形が基本的なリング形状のハギーイヤリングを示しており、側部から見ている。設置具がヒンジ留めされることで、イヤリングを開放させることができる。イヤリングはその後、ピアス穴に挿入され、その後閉鎖されることでイヤリングを所定の場所にしっかりと保持することができる。キャッチが、ヒンジ部分を閉鎖位置における所定の位置に保持し、イヤリングを開放するために解放させることができる。
【０００６】
図１Ｂは、目立たない固定技術を利用して配置された、設置具の中に５列のジェムストーンを備えたハギーイヤリングの外形および斜視図を示している。
【０００７】
図１Ｃは、目立たない固定技術を利用して２列にセットされたジェムストーンを備えた別のハギーイヤリングの外形および側面図を示している。
【発明の概要】
【発明が解決しようとする課題】
【０００８】
各々のケースの締め具機構は、解放機構を備えたばね付きキャッチで構成されている。キャッチおよび解放機構は、複数の可動部から成り、そのそれぞれが、別々の故障の原因になり得ることから、各々の可動部が、この製品の推定耐用寿命全体を縮めることになる。加えてキャッチおよび解放機構は元来、それが着用者の耳の上にある間に作用させるべきであり、着用者がそうすることを見ることができない位置は、手触りだけで作用させなければならない使いづらいものである。
【課題を解決するための手段】
【０００９】
本発明の一実施形態によって、一端において締め具に枢動式に装着されるリング部を有する宝石製品が提供されており、締め具は、リング部の一端からリングの継続部に及んでおり、リングの継続部内に延在し枢動式の接続部においてリング部の一端に枢動式に装着されたリング継続アームを備え、締め具はさらに、リング継続アームと共にリングの継続部に沿って延在する付勢アームを備え、付勢アームは、枢動式に互いに装着されたばね部と、レバー部とを備え、レバー部とリング部の接続部は剛性であるため、リング部が開放される際、レバー部は、製品の内側に向かって内向きに回転し、ばね部の枢動される端部を引っ張るように構成されており、ばね部は、リング部より小さい円周の元々の形状を有することで、ひとたび特定の範囲に到達すると、ばね部がレバー部をばね部に向けて引っ張ることでばね部がそのより小さな直径に達することにより、安定した開放位置を確立することを可能にし、リング部の締め具上の先にあるレバーが、ばね部をリング継続アームに向けて外向きに押すことで、第２の安定位置を確立することで締め具を閉鎖する。
【００１０】
宝石製品自体と同様に、本実施形態は、締め具、留め具、および締め具または留め具または宝石製品全体を構成する部品の一種のキットに関する場合もある。
【００１１】
一実施形態において、レバー部は、ばねと比べて相対的に短い。
【００１２】
一実施形態において、宝石製品は、イヤリングであり、イヤリングは、耳に挿入するためのピンを備え、締め具は、ピンをリング部に対して閉鎖するためのものであり、締め具の第１の端部はリング上にあり、第２の端部は自由端であり、閉鎖位置は締め具がピンに当接することでイヤリングを閉じる位置であり、開放位置は締め具がピンから離間されることでイヤリングを開放する位置である。
【００１３】
一実施形態において、宝石製品は、リングまたはブレスレットであり、リングはバンドを備え、締め具はバンドに組み込まれており、閉鎖位置は、締め具がバンドを均一なリングの円周に対して閉鎖する位置であり、開放位置は、バンドが円周を超えて開放される位置である。
【００１４】
一実施形態においてばね部は、締め具が開放される際、リングの継続部の円周の内側に延在する。
【００１５】
一実施形態において、ばね部は、締め具が開放される際、外周の中に留まる。
【００１６】
一実施形態において、ばね部は、レバー部の長さのおよそ４倍である。
【００１７】
一実施形態において、付勢アームは、宝石製品のリング構造と連続している。
【００１８】
一実施形態は、ハギー様式のイヤリングを提供する場合がある。
【００１９】
本発明の第２の態様によって、リング部と、締め具とを備えた宝石製品が提供されており、締め具は、リング部と連続し第１の端部においてリング部と接続しており、締め具は、リング部の継続部と、その第１の地点において継続部に対して枢動し、第２の地点においてリング部に対してさらに枢動するばねアームとを備え、継続部は、第１の端部に位置する枢動式ヒンジを有し、第１の端部が、第１の地点と第２の地点の間にあることにより、締め具に第１の開放した安定位置および第２の閉鎖した安定位置、ならびに第１の安定位置と第２の安定位置の間のスナップ動作を提供する。
【００２０】
一実施形態において、リング部と継続部の間の接続は軸ピン（Ｐｉｖｏｔ）を介する。
【００２１】
一実施形態において、リング部と継続部の間の接続は連続している。
【００２２】
一実施形態において、第１の端部は、第２の地点より第１の地点により近い。
【００２３】
一実施形態において、宝石製品は、イヤリングであり、イヤリングは、設置具と、ピンとを備え、締め具がピンを覆うように閉鎖し、第１の端部は設置具上にあり、第２の端部はピンの自由端であり、第１の位置は、締め具がピンに接続することでイヤリングを閉鎖する位置であり、第２の位置は、締め具がピンから離間されることでイヤリングを開放する位置である、あるいは宝石製品は、リングまたはブレスレットであり、リングはバンドを備え、締め具はバンド内に組み込まれており、第１および第２の端部はバンド上にあり、第１の位置は、締め具がバンドに接続することでリングを閉鎖する位置であり、第２の位置は締め具がバンドを開放する位置である。
【００２４】
一実施形態において、締め具が閉鎖される際、板ばねは製品の外周内に位置し、締め具が開放される際、板ばねは外周の外側に延在する。
【００２５】
本発明の第３の実施形態によって、宝石製品のための締め具の作製方法が提供されており、
リング部を設けるステップと、
リング部の中に一端においてリング部に装着され、第２の端部は自由に開閉する部分を設けることによって締め具を構築するステップと、
一端においてリング部に装着され、第２の端部においてこの部分にある第１の軸ピン（Ｐｉｖｏｔ）に装着される板ばねを設けるステップと、
装着された端部と第１の枢軸の間の部分の範囲内に中間の枢動式継手を設けることによって、締め具を２つの安定位置の間で反転するように構成するステップとを含む。
【００２６】
特別な定義がされていなければ、本明細書で使用される全ての技術的および／または特有の用語は、本発明が属する当業者によって一般に理解されるものと同一の意味を有する。本明細書に記載されるものと同様のまたは等価な方法および材料は、本発明の実施形態の実施またはテストにおいて使用することができ、例示の方法および／または材料は以下に記載される。矛盾する場合は、定義を含めて本特許明細書が規制することになる。さらに材料、方法および実施例は、単なる例示であり、限定することが意図されているとは限らない。
【図面の簡単な説明】
【００２７】
本発明の一部の実施形態が、添付の図面を参照して、単なる一例として本明細書に記載されている。次に詳細に図面を個別に参照してみると、示される事項は一例としてであり、本発明の実施形態の説明的な考察を目的としていることが強調されている。この点において、図面と共に採用される記載によって、本発明をいかにして実施し得るかが当業者に明らかになる。
【００２８】
【図１Ａ】従来技術のハギーイヤリングの例である。
【図１Ｂ】従来技術のハギーイヤリングの例である。
【図１Ｃ】従来技術のハギーイヤリングの例である。
【図２】締め具が閉鎖位置にある２つの安定位置の機構の馬蹄型の実施形態によるハギーイヤリングの斜視図である。
【図３】図２のイヤリングの二次元図である。
【図４】締め具が開放位置にある図２のハギーイヤリングの斜視図である。
【図５】図４のイヤリングの二次元図である。
【図６】２つの安定位置の原理をさらに示す円形の実施形態によるハギーイヤリングの斜視図である。
【図７】図６のハギーイヤリングの二次元図である。
【図８】開放位置にある図６のハギーイヤリングの二次元図である。
【図９】第１の安定位置にあるループ式の板ばねを示す概略図である。
【図１０】第２の安定位置にあるループ式の板ばねを示す概略図である。
【図１１】中間の軸ピン（Ｐｉｖｏｔ）を使用して締め具を２つの安定位置のいずれかにロックする本発明の第１の実施形態によるハギーイヤリングを示す図である。
【図１２】図１１のイヤリングの側面図である。
【図１３】図１１のイヤリングの斜視図である。
【図１４】閉鎖位置にある図１１のイヤリングの側面図である。
【図１５】閉鎖位置にある本発明の第２の実施形態によるハギーイヤリングの側部斜視図である。
【図１６】図１５のイヤリングの側面図である。
【図１７】図１５のイヤリングの閉鎖機構の図である。
【図１８】開放位置にある図１５のハギーイヤリングの側面図である。
【図１９】図１５のハギーイヤリングの側部斜視図である。
【図２０】開放位置にある本発明の第３の実施形態によるハギーイヤリングの側面図である。
【図２１】図２０のハギーイヤリングの側部斜視図である。
【図２２】本発明の一実施形態による閉鎖位置にあるリングの斜視図である。
【図２３】開放位置にある図２２のリングの斜視図である。
【図２４Ａ】本実施形態によって構築されたハギーイヤリングの異なる図である。
【図２４Ｂ】本実施形態によって構築されたハギーイヤリングの異なる図である。
【図２５Ａ】本実施形態によって構築された別のハギーイヤリングの異なる図である。
【図２５Ｂ】本実施形態によって構築された別のハギーイヤリングの異なる図である。
【図２６Ａ】本実施形態によって構築されたさらに別のハギーイヤリングの異なる図である。
【図２６Ｂ】本実施形態によって構築されたさらに別のハギーイヤリングの異なる図である。
【図２４Ｃ】本実施形態によって構築されたさらに別のハギーイヤリングの異なる図である。
【図２７Ａ】本発明によるハギーイヤリング用の２つの異なる留め具を組み立てるための部品の２つのキットを示す図である。
【図２７Ｂ】部分的におよび完全にそれぞれ組み立てられた後の図２７Ａの部品の２つのキットを示す図である。
【図２８Ａ】部品のキットとして組み立てられた図２６のハギーイヤリングを示す図である。
【図２８Ｂ】部品のキットとして組み立てられた図２６のハギーイヤリングを示す図である。
【図２８Ｃ】部品のキットとして組み立てられた図２６のハギーイヤリングを示す図である。
【発明を実施するための形態】
【００２９】
本発明は、その一部の実施形態において、宝石製品などの物品のための締め具および留め具に関し、より詳細には、但し排他的にではなく、リング、ブレスレットおよびハギーイヤリングなどのイヤリングなどの宝石に関する。本発明はまた、宝石製品それ自体に関する場合もある。
【００３０】
イヤリングは、設置具と、ピンと、ピンを覆うように閉鎖するための締め具とを有することができる。ピンおよび締め具は、留め具を備える。締め具は、板ばねで構成されており、これは、設置具上の第１の地点から第１の輪の部分の中で外側に延在し、設置具上の第１の地点に隣接する第２の地点へと第２の輪の部分の中を戻るように輪を形成する。輪の部分は各々形状記憶合金を有し、異なる記憶形状を有するように設定されている。２つの異なる記憶形状が互いに対して作用することで、締め具を２つの安定位置、すなわち締め具をピンに接続することでイヤリングを閉鎖する第１の位置と、締め具がピンから離間されることでイヤリングを開放する第２の位置との間で反転させる。この設計は特にハギー様式のイヤリングに好適である。
【００３１】
一部がロック機構の部品はこうして、このような輪状に張り出した板ばねで構成されてよい。板ばねは、設置具に固定された２つの枢動式のヒンジまたははんだ継手を有することができ、輪の各々の半円の２つの記憶形状が互いに対して作用することによって生じる２つの安定位置のそれぞれの間で常に反転することができる。この機構は単一の部品で構成されるため既知のイヤリングの問題を持たないが、これは切り離されたばねやキャッチ、あるいは他の別個の部品がないことから全体の故障率が低下するためである。
【００３２】
輪状に張り出した板ばねはよって、２つの安定した状態に、すなわちイヤリングを耳たぶから着脱させることを可能にする開放状態と、イヤリングを耳タブ上の所定の位置にロックする閉鎖状態とに基づいたキャッチ機構を提供する。この機構は、単にハギー様式のイヤリングに適用可能であるだけでなく、いかなる種類のイヤリングにも、あるいは他のピアス穴または所定の位置にロックするために機構を容易に操作することを要するいずれの種類の宝石にも適用可能である。
【００３３】
輪状に張り出した板ばねは、形状記憶を高めるために一緒に溶融された２つの異なる金属で作製されてよい。
【００３４】
図１Ａ−１Ｃは、背景技術で考察されており、既知の技術の３つのハギーイヤリングの例を示している。示されるイヤリングの各々は、ばねまたは他のタイプのロック機構を備えたヒンジを備える閉鎖機構を有しており、追加の部品が故障率を高めている。
【００３５】
本発明の少なくとも一実施形態を詳細に説明する前に、本発明は、その用途において以下の記載に説明されるおよび／または図面に示される構造、構成要素の配列および／または方法に必ずしも限定されるわけではないことを理解されたい。本発明は、他の実施形態が可能であり、あるいは様々な方法で実施または実行することが可能である。
【００３６】
次に図面を参照すると、図２は、２つの安定位置の原理を示すハギーイヤリングの概略的な三次元斜視図を示す簡素化された図である。図３は、同一の実施形態の二次元形状である。図２において、ハギーイヤリング１０は、ピアス穴を貫通するように装着するためのピン１２と、前方設置部１４と、閉鎖部１６とを備える。閉鎖部１６は、上部２０および下部２２板ばね継続部または分岐部へと二叉に分かれる板ばね要素１８を備える。別の視点から見ると板ばねは、一方の分岐部において開始し、ベース要素１８へと延び、他方の分岐部として輪を形成するように戻っている。各々の板ばねの継続部は、各々のヒンジ２４および２６によって設置具１４に別々に装着される。ヒンジまたは軸ピン（Ｐｉｖｏｔ）によって、各々の板ばねの継続部が独立して回転することが可能になり、これにより以下に詳細に記載するように２つの安定位置を誘発させ、それぞれの位置の間で反転またはジャンプするための機構を含む。
【００３７】
２つの板ばね継続部の間の力の均衡が、図２および図３に示されるようにイヤリングの締め具が閉鎖される位置と、イヤリングが開放され、ピンが耳のピアス穴に自由に挿入されそこから取り外される第２の位置の２つの安定位置を規定する。これは、単一のヒンジが開放位置と閉鎖位置の間で反転するようにばね荷重される図１の従来技術のシステムとは対照的である。
【００３８】
次に図４および図５を参照すると、これらの図は開放位置にある図２のハギーイヤリングの３Ｄ斜視図と、２Ｄの正面向きの図である。先行する図面と同様の部品は、同一の参照番号を与えられており、この図面を理解するために必要とされる際以外は重ねて記載しない。
【００３９】
図４において、閉鎖部１６は、端部１８を回転させ、板ばね継続部２０および２２を枢軸２４および２６に対して回転させることで第２の安定位置に到達することによって開放されている。第１の安定位置にあるとき、すなわち閉鎖位置にあるとき、ピン上にある介在物が締め具の下方端部を捕らえる。
【００４０】
図６−８は、ハギーイヤリングの円形版３０を示している。図６は、円形イヤリング３０の簡素化された三次元斜視図である。図７は、イヤリングの断面を示す二次元図であり、図８は、開放位置にあるイヤリングを示す二次元図である。円形イヤリング３０では、締め具１６の頂部３２はバーである。板ばね３４および３６が、２つの異なる位置からバー３２の異なる高さにおいて直角に延在し下方に湾曲している。板ばねの離れた端部は、設置具１４上の各々の場所にはんだ付けまたは溶接される。別の観点から、単一の連続する板ばねが、溶接部の一方において開始し、バー３２を経由して上向きに輪を形成し、その後第２の溶接部へと板ばね延長部を下るように続いている。２つの板ばね３４および３６のばね作用により、先の実施形態でのようにそれらを２つの安定位置に交互に配置させることが可能になる。しかしながら軸ピン（Ｐｉｖｏｔ）を代替として使用することも可能であり、そのような状況に関して、はんだ付け作業が馬蹄形イヤリング１０に対して利用される場合もある。
【００４１】
次に２つの安定位置の原理をさらに示している図９および図１０を参照されたい。板ばね４０の単一の連続する長さが、それ自体を上を戻るように湾曲し、板ばねの２つの端部４２および４４が固定されるという制約の下に進んでいる。板ばねの２つの側部は、それらがこの制約の範囲内で進もうと試みる際、互いに対して押し合う。板ばねは典型的には、形状記憶合金を有するため、図９および図１０に示されるものなど２つの均衡した位置を規定することができる。換言すると、異なる形状を輪状の板ばねの各々の側部に与えることができ、その後締め具が、第１の側部が優勢な第１の安定位置と、第２の側部が優勢な第２の安定位置との間で反転される。
【００４２】
図９の位置は、ハギーイヤリングの閉鎖位置を実現するのに使用することができ、図１０の位置は、イヤリングの開放位置を実現することができる。
【００４３】
次に図１１を参照すると、この図は本発明の一実施形態によるハギーイヤリング５０を示している。ハギーイヤリングは、耳に挿入する部分５４から延びるリング部５２を有する。リング部は、一端において締め具５６に枢動式に装着され、耳に挿入する部分は、他端に配置されている。締め具５６は、リング部５２の端部から耳に挿入する部分５４へと戻るようにリングの継続部に及んでいる。締め具５６は、リングの継続部内に延在し、枢動式の接続部６０においてリング部５２の端部に枢動式に装着されたリング継続アーム５８を備える。内側アーム６３が、リング継続アーム５８の下にあり、それ自体は、アーム部６４と、レバー部６６の２つの部分で構成されている。２つの部分６４および６６は、軸ピン（Ｐｉｖｏｔ）６８において枢動式に互いに装着されている。レバー部６６とリング部５２は連続しており、そのためリング部が開放される際、レバー部６６がリングの内側に向かって内向きに回転し内側部分６４の枢動される端部を引っ張る。ばね部５８は、リング部より大きな円周の元々の形状を有するため、ひとたび特定の範囲に達すると、ばね部５８が内側部分６４をばね部に向かって引っ張ることで、ばね部がそのより大きな直径に到達することを可能にし安定した開放位置を確立する。
【００４４】
リングが閉鎖される際、レバー６６がリング継続アーム５８を押し、これは第２の安定位置を確立するためのばね部であり、これによりイヤリングを閉鎖する。第２の安定位置では、レバー部６６は単に部分６４をリング継続部５８に押しつける。軸ピン（Ｐｉｖｏｔ）６８は、耳に挿入する部分５４よりもリング部５２にかなり近い場合もあり、そのため内側アームは、レバー部より４倍または６倍ほどである。
【００４５】
図１２は図１１のイヤリングの側面図であり、また解放位置を示している。図１１で使用された同一の参照番号がここでも使用されている。
【００４６】
図１３は、図１１のイヤリングの斜視図であり、ここでも同一の参照番号が使用されている。ここでは、締め具は３重アームであり、リングばね部５６は、２つの外側アーム部５８Ａおよび５８Ｂで構成されており、内側部分６６およびレバー６４は、２つの外側アーム部の間の第３の内側アーム部である。
【００４７】
図１４は、閉鎖位置にある図１１のイヤリングを示す簡素化された図である。内側部分６４と、レバー６６がリングの円周内へと押し込まれることで、安定した閉鎖位置を創り出す。
【００４８】
次に本発明の別の実施形態を示す図１５、１６、１７、１８および１９を参照すると、ここではばね部がリング継続部の半径方向外側に位置しており、リング継続部は関節式に連結されている。図１５は、閉鎖される際のイヤリングの斜視図である。図１６は側面図であり、図１７は締め具を直接下方に見る図である。図１８は、開放位置にあるイヤリングの側面図であり、図１９はその側部斜視図である。
【００４９】
宝石製品７０は、この場合ハギーイヤリングであり、これもまたリング部７２と、締め具７４とを有する。締め具７４は、リング部７２と共に連続することで、リングの内周を形成し、ヒンジ部７６を介してリング部に接続する。ヒンジ部７６は、軸ピン（Ｐｉｖｏｔ）７８を有し、締め具７４とリング部７２の間に継ぎ目を提供する。ばね８０は、軸ピン（Ｐｉｖｏｔ）８４および８６を介して締め具７４とリング部の間でヒンジ部にわたって枢動する。図１５および図１６のような閉鎖位置において、ばねは、リングの円周と共に連続している。図１８および図１９でのような開放位置において、締め具は開放され、ばねは、安定した形状になるようにスナップ式に嵌まり、締め具をリングの円周の外側に引っ張る。この結果は締め具に、耳装着ピン８２を開放する第１の開放した安定位置と、イヤリングが耳にロックされる第２の閉鎖した安定位置と、第１の安定位置と第２の安定位置の間のスナップ式に嵌まる動作とを与えることになる。
【００５０】
図２０および図２１は、図１５の実施形態の変形形態を示しており、そこでは別個のヒンジ部は存在しない。軸ピン（Ｐｉｖｏｔ）７８がばね８０が枢動される地点を超えてリング部の継続部に設置される。図２０は、開放位置の側面図を示し、図２１は、開放位置の側部斜視図を示している。
【００５１】
図２２および図２３を参照すると、これらは本実施形態によるリングの閉鎖型と開放型をそれぞれ示している。リングが示されているが、同一のものがブレスレットまたはバングルなどに適用されることを理解されたい。締め具９４を備えた円周方向のバンド９２を備えるリング９０は、バンドと共に連続している。締め具は、軸ピン（Ｐｉｖｏｔ）１０２においてバンド９２の延長部９８に対して枢動されるリングの継続する主要部９６と、延長部９８に先行する地点１０４においてバンド９２に装着されるばねアーム１００とで構成される。ばねアーム１００の離れた端部は、軸ピン（Ｐｉｖｏｔ）１０６において締め具の離れた端部に枢動式に装着される。締め具は、図２２および図２３にそれぞれ示される２つの位置において安定しており、それぞれの位置にスナップ式に嵌まる。
【００５２】
次に図２４Ａおよび２４Ｂを参照すると、これらは本実施形態によって構築されたハギーイヤリングの異なる図である。ハギーイヤリング２００は、台座２０２と、留め具２０４とを備え、この場合、留め具は、上記に記載した本実施形態による締め具を含む。
【００５３】
図２５Ａおよび２５Ｂは、本実施形態によって構築された別のハギーイヤリングの異なる図である。ハギーイヤリング２１０は、設置具２１２と、留め具２１４とを備え、この場合留め具は、上記に記載した本実施形態による締め具を含む。
【００５４】
図２６Ａ、２６Ｂ、および２４Ｃは、本実施形態によって構築されたさらに別のハギーイヤリングの異なる図である。図２６Ａの例では、留め具は、それ自体が装飾用であり、別個の設置具は存在しない。図２６Ａは、開放位置におけるイヤリングを示しており、図２６Ｂおよび２６Ｃは、閉鎖位置にある２つの異なる角度におけるイヤリングを示している。
【００５５】
次に図２７Ａを参照すると、これは、本実施形態による様々なハギーイヤリングのための２つの異なる留め具を構築するための部品の２つの異なるキット２７０、２７２を示している。留め具は、キットの形態で高級宝石職人に提供される場合があり、このような職人はその後、留め具を組み立て、自分の固有の設置具を据え付ける。
【００５６】
図２７Ｂは、第１の留め具２７０を示しており、ここでは締め具は組み立てられているが、ピンは組み立てられていないため、留め具は不完全である。第２の留め具２７２は完全に組み立てられている。両方のケースにおいて、留め具は、設置具の配置より前に示されている。
【００５７】
図２８Ａ、２８Ｂおよび２８Ｃは、図２８Ａでのように組み立てられた図２６のハギーイヤリングを図２８Ｂおよび図２８Ｃでの部品のキットとして示している。
【００５８】
用語「備える（ｃｏｍｐｒｉｓｅｓ）」、「備えている（ｃｏｍｐｒｉｓｉｎｇ）」、「含む（ｉｎｃｌｕｄｅｓ）」、「含んでいる（ｉｎｃｌｕｄｉｎｇ）」、「有する（ｈａｖｉｎｇ）」およびそれらの活用形は、含めることを意味しており、それに限定はしていない。
【００５９】
用語「〜成る（ｃｏｎｓｉｓｔｉｎｇ ｏｆ）」は、それを含んでおり、それに限定することを意味している。
【００６０】
本明細書で使用されるように、単数形「ａ」、「ａｎ」および「ｔｈｅ」は、文脈がそうでないことがはっきりと要求していなければ複数形の言及も含んでいる。
【００６１】
本発明の全ての特徴は、明確にするために、別個の実施形態の文脈において記載されており、これは単独の実施形態で組み合わせて実現される場合もあることを理解されたく、本文書は、このような特徴が明示的に含まれるように理解されるべきである。反対に、本発明の種々の特徴は、簡潔にするために１つの実施形態の文脈において記載されており、これらは別々に、または任意の好適な補助的な組み合わせにおいて、または本発明の任意の他の記載される実施形態において適するように実現される場合もあり、本文書は、このような包括が明確に行なわれるように理解されるべきである。種々の実施形態の文脈に記載される特定の特徴は、この実施形態がこれらの要素なしで機能しない限りは、これらの実施形態の基本的な特徴とみなすべきではない。
【００６２】
本発明をその特有の実施形態と併せて記載してきたが、多くの代替形態、修正形態および変形形態が、当業者に明らかであることは明白である。よって、添付の特許請求の範囲の技術的思想および広範な範囲内にある全てのこのような代替形態、修正形態および変形形態を包含することが意図されている。
【００６３】
本明細書で言及される全ての刊行物、特許および特許出願はここでは、 各々の個々の刊行物、特許または特許出願が具体的におよび個別に参照によって本明細書に組み込まれることが指摘されているのと同程度にその全体が参照により本明細書に組み込まれている。加えて、本出願における何らかの参考文献の引用または確認は、そのような参考文献が本発明に対する従来技術として利用可能であることの承認として解釈されるべきではない。その段落の見出しが使用される範囲でそれらは必然的な制限として解釈されるべきではない。
【図１Ａ】
0006503288.tif 000002
【図１Ｂ】
0006503288.tif 000003
【図１Ｃ】
0006503288.tif 000004
【図２】
0006503288.tif 000005
【図３】
0006503288.tif 000006
【図４】
0006503288.tif 000007
【図５】
0006503288.tif 000008
【図６】
0006503288.tif 000009
【図７】
0006503288.tif 000010
【図８】
0006503288.tif 000011
【図９】
0006503288.tif 000012
【図１０】
0006503288.tif 000013
【図１１】
0006503288.tif 000014
【図１２】
0006503288.tif 000015
【図１３】
0006503288.tif 000016
【図１４】
0006503288.tif 000017
【図１５】
0006503288.tif 000018
【図１６】
0006503288.tif 000019
【図１７】
0006503288.tif 000020
【図１８】
0006503288.tif 000021
【図１９】
0006503288.tif 000022
【図２０】
0006503288.tif 000023
【図２１】
0006503288.tif 000024
【図２２】
0006503288.tif 000025
【図２３】
0006503288.tif 000026
【図２４Ａ】
0006503288.tif 000027
【図２４Ｂ】
0006503288.tif 000028
【図２５Ａ】
0006503288.tif 000029
【図２５Ｂ】
0006503288.tif 000030
【図２６Ａ】
0006503288.tif 000031
【図２６Ｂ】
0006503288.tif 000032
【図２６Ｃ】
0006503288.tif 000033
【図２７Ａ】
0006503288.tif 000034
【図２７Ｂ】
0006503288.tif 000035
【図２８Ａ】
0006503288.tif 000036
【図２８Ｂ】
0006503288.tif 000037
【図２８Ｃ】
0006503288.tif 000038